(57)【要約】    【課題】  スパイラルフープ筋を用いて軸方向へ圧縮されるプレストレスをかけることにより、コンクリートのひび割れを防止することができるスパイラルフープ筋を用いた軸方向へのプレストレスト構造のコンクリート構造物の構築方法及びそのコンクリート構造物を提供する。    【解決手段】  円筒状の型枠３内の初期状態のスパイラルフープ筋２の軸方向に引張力を加えた状態でコンクリート４を打設する工程と、前記コンクリート４が硬化後にスパイラルフープ筋２の軸方向への引張力を解放する工程と、前記円筒状の型枠３を外す工程とを施す。【選択図】図１
2005220554.tif 000002
【特許請求の範囲】
【請求項１】
（ａ）円筒状の型枠内の軸方向鉄筋に巻き付けられたスパイラルフープ筋に軸方向の引張力を加えた状態でコンクリートを打設する工程と、
（ｂ）前記コンクリートが硬化後にスパイラルフープ筋の軸方向への引張力を解放する工程と、
（ｃ）前記円筒状の型枠を外す工程とを施すスパイラルフープ筋を用いた軸方向へのプレストレスト構造のコンクリート構造物の構築方法。
【請求項２】
請求項１記載のスパイラルフープ筋を用いた軸方向へのプレストレスト構造のコンクリート構造物の構築方法を用いて構築されるスパイラルフープ筋を用いた軸方向へのプレストレスト構造のコンクリート構造物。
【請求項３】
請求項２記載のスパイラルフープ筋を用いた軸方向へのプレストレスト構造のコンクリート構造物において、前記コンクリート構造物がＲＣ柱であるスパイラルフープ筋を用いた軸方向へのプレストレスト構造のコンクリート構造物。
【請求項４】
請求項２記載のスパイラルフープ筋を用いた軸方向へのプレストレスト構造のコンクリート構造物において、前記コンクリート構造物が基礎杭であるスパイラルフープ筋を用いた軸方向へのプレストレスト構造のコンクリート構造物。
【請求項５】
（ａ）円筒状の鋼管内の軸方向鉄筋に巻き付けられたスパイラルフープ筋に軸方向の引張力を加えた状態でコンクリートを打設する工程と、
（ｂ）前記コンクリートが硬化後にスパイラルフープ筋の軸方向への引張力を解放する工程とを施すスパイラルフープ筋を用いた軸方向へのプレストレスト構造のコンクリート構造物の構築方法。
【請求項６】
請求項５記載のスパイラルフープ筋を用いた軸方向へのプレストレスト構造のコンクリート構造物の構築方法を用いて構築されるスパイラルフープ筋を用いた軸方向へのプレストレスト構造のコンクリート構造物。
【請求項７】
請求項６記載のスパイラルフープ筋を用いた軸方向へのプレストレスト構造のコンクリート構造物において、前記コンクリート構造物がＣＦＴ柱であるスパイラルフープ筋を用いた軸方向へのプレストレスト構造のコンクリート構造物。
【請求項８】
請求項６記載のスパイラルフープ筋を用いた軸方向へのプレストレスト構造のコンクリート構造物において、前記コンクリート構造物が基礎杭であるスパイラルフープ筋を用いた軸方向へのプレストレスト構造のコンクリート構造物。
【請求項９】
請求項１又は５記載のスパイラルフープ筋を用いた軸方向へのプレストレスト構造のコンクリート構造物の構築方法において、前記スパイラルフープ筋に異形鉄筋を用いるスパイラルフープ筋を用いた軸方向へのプレストレスト構造のコンクリート構造物の構築方法。
【請求項１０】
請求項２〜４、６〜８の何れか一項記載のスパイラルフープ筋を用いた軸方向へのプレストレスト構造のコンクリート構造物であって、スパイラルフープ筋が異形鉄筋からなるスパイラルフープ筋を用いた軸方向へのプレストレスト構造のコンクリート構造物。
【発明の詳細な説明】
【技術分野】
【０００１】
本発明は、橋脚や基礎に用いられるスパイラルフープ筋を用いた軸方向へのプレストレスト構造のコンクリート構造物の構築方法及びそのコンクリート構造物に関するものである。
【背景技術】
【０００２】
従来、円形断面のＲＣ（Ｒｅｉｎｆｏｒｃｅｄ  Ｃｏｎｃｒｅｔｅ：鉄筋コンクリート）橋脚においては、スパイラル筋が用いられて横拘束効果を持たせるようにしている。
【非特許文献１】「円形断面ＲＣ橋脚に対するスパイラル筋の横拘束効果」、構造工学論文集  Ｖｏｌ．４８Ａ（２００２年３月）、ｐｐ．７１５−７２３
【発明の開示】
【発明が解決しようとする課題】
【０００３】
しかしながら、コンクリートはひび割れが生じ易いといった問題があった。
【０００４】
本発明は、上記状況に鑑みて、スパイラルフープ筋を用いて軸方向へ圧縮されるプレストレスをかけることにより、コンクリートのひび割れが生じ難いスパイラルフープ筋を用いた軸方向へのプレストレスト構造のコンクリート構造物の構築方法及びそのコンクリート構造物を提供することを目的とする。
【課題を解決するための手段】
【０００５】
本発明は、上記目的を達成するために、
〔１〕スパイラルフープ筋を用いた軸方向へのプレストレスト構造のコンクリート構造物の構築方法において、円筒状の型枠内の軸方向鉄筋に巻き付けられたスパイラルフープ筋に軸方向の引張力を加えた状態でコンクリートを打設する工程と、前記コンクリートが硬化後にスパイラルフープ筋の軸方向への引張力を解放する工程と、前記円筒状の型枠を外す工程とを施す。
【０００６】
〔２〕スパイラルフープ筋を用いた軸方向へのプレストレスト構造のコンクリート構造物であって、上記〔１〕記載のスパイラルフープ筋を用いた軸方向へのプレストレスト構造のコンクリート構造物の構築方法を用いて構築される。
【０００７】
〔３〕上記〔２〕記載のスパイラルフープ筋を用いた軸方向へのプレストレスト構造のコンクリート構造物において、前記コンクリート構造物がＲＣ柱である。
【０００８】
〔４〕上記〔２〕記載のスパイラルフープ筋を用いた軸方向へのプレストレスト構造のコンクリート構造物において、前記コンクリート構造物が基礎杭である。
【０００９】
〔５〕スパイラルフープ筋を用いた軸方向へのプレストレスト構造のコンクリート構造物の構築方法において、円筒状の鋼管内の軸方向鉄筋に巻き付けられたスパイラルフープ筋に軸方向の引張力を加えた状態でコンクリートを打設する工程と、前記コンクリートが硬化後にスパイラルフープ筋の軸方向への引張力を解放する工程とを施す。
【００１０】
〔６〕スパイラルフープ筋を用いた軸方向へのプレストレスト構造のコンクリート構造物において、上記〔５〕記載のスパイラルフープ筋を用いた軸方向へのプレストレスト構造のコンクリート構造物の構築方法を用いて構築される。
【００１１】
〔７〕上記〔６〕記載のスパイラルフープ筋を用いた軸方向へのプレストレスト構造のコンクリート構造物において、前記コンクリート構造物がＣＦＴ柱である。
【００１２】
〔８〕上記〔６〕記載のスパイラルフープ筋を用いた軸方向へのプレストレスト構造のコンクリート構造物において、前記コンクリート構造物が基礎杭である。
【００１３】
〔９〕上記〔１〕又は〔５〕記載のスパイラルフープ筋を用いた軸方向へのプレストレスト構造のコンクリート構造物の構築方法において、前記スパイラルフープ筋に異形鉄筋を用いる。
【００１４】
〔１０〕上記〔２〕〜〔４〕、〔６〕〜〔８〕の何れか一項記載のスパイラルフープ筋を用いた軸方向へのプレストレスト構造のコンクリート構造物であって、スパイラルフープ筋が異形鉄筋からなる。
【発明の効果】
【００１５】
本発明によれば、スパイラルフープ筋を用いて軸方向へ圧縮されるプレストレスをかけることにより、コンクリートのひび割れを防止することができる。
【発明を実施するための最良の形態】
【００１６】
円筒状の型枠内の初期状態のスパイラルフープ筋の軸方向に引張力を加えた状態でコンクリートを打設する工程と、前記コンクリートが硬化後にスパイラルフープ筋の軸方向への引張力を解放する工程と、前記円筒状の型枠を外す工程とを施す。したがって、スパイラルフープ筋を用いて軸方向へ圧縮されるプレストレスをかけることにより、コンクリートのひび割れを防止することができる。
【実施例】
【００１７】
以下、本発明の実施の形態について詳細に説明する。
【００１８】
図１は本発明の実施例を示すスパイラルフープ筋を用いた軸方向へのプレストレスト構造のコンクリート構造物としてのＲＣ柱の作製工程の模式図、図２はそのスパイラルフープ筋を用いた軸方向へのプレストレスト構造としてのＲＣ柱の横断面図である。
【００１９】
（１）まず、図１（ａ）に示すように、軸方向鉄筋１にスパイラルフープ筋２を巻付ける。
【００２０】
（２）次に、図１（ｂ）に示すように、スパイラルフープ筋２に軸方向の引張力を作用させる。
【００２１】
（３）次に、図１（ｃ）に示すように、そのスパイラルフープ筋２に軸方向の引張力が付与された状態で、円筒状の型枠３を用意して、その型枠３内にコンクリート４を打設する。
【００２２】
（４）次に、図１（ｄ）に示すように、コンクリート４が硬化した後、スパイラルフープ筋２の軸方向の引張力を解放する。
【００２３】
（５）次に、図１（ｅ）に示すように、スパイラルフープ筋２の余分な部分をカットするとともに、型枠３を外して、軸方向へのプレストレスト構造のＲＣ柱５を得ることができる。
【００２４】
ここで、上記（３）から（４）へと移行するとき、スパイラルフープ筋２の軸方向に加えていた引張力を解放するため、コンクリート４に圧縮力が作用して、コンクリート４はΔＬだけ縮む。すなわち、スパイラルフープ筋２の復帰バネ力によりＲＣ柱５には圧縮力が付与されている状態となる。
【００２５】
このように、柱状体の構築時に予め圧縮力を加えておくことにより、ひび割れの発生し難いＲＣ柱５を構築することができる。
【００２６】
なお、上記ではＲＣ柱について述べたが、基礎杭についても適用することができる。
【００２７】
図３は本発明の実施例を示すスパイラルフープ筋を用いた軸方向へのプレストレスト構造のコンクリート構造物としてのＣＦＴ（コンクリート・フィール・チューブ）柱の作製工程の模式図、図４はそのスパイラルフープ筋を用いた軸方向へのプレストレスト構造としてのＣＦＴ柱の横断面図である。
【００２８】
（１）まず、図３（ａ）に示すように、鋼管１０内の軸方向鉄筋１１にスパイラルフープ筋１２を巻付ける。
【００２９】
（２）次に、図３（ｂ）に示すように、鋼管１０内のスパイラルフープ筋１２の軸方向に引張力を作用させる。
【００３０】
（３）次に、図３（ｃ）に示すように、そのスパイラルフープ筋１２に軸方向の引張力が付与された状態で、鋼管１０内にコンクリート１３を打設する。
【００３１】
（４）次に、図３（ｄ）に示すように、コンクリート１３が硬化した後、スパイラルフープ筋１２の軸方向の引張力を解放する。
【００３２】
（５）次に、図３（ｅ）に示すように、スパイラルフープ筋１２の余分な部分をカットして、プレストレスト構造のＣＦＴ柱１４を得ることができる。
【００３３】
ここで、上記（３）から（４）へと移行するとき、スパイラルフープ筋１２に軸方向に加えていた引張力が解放されるため、ＣＦＴ柱１４の内部には、スパイラルフープ筋１２の復帰バネ力により圧縮力が付与される。
【００３４】
このように、柱状体の構築時に予め圧縮力を加えておくことにより、ひび割れの発生し難いＣＦＴ柱を得ることができる。
【００３５】
上記ではＣＦＴ柱について述べたが、基礎杭についても適用することができる。
【００３６】
なお、上記各実施例におけるスパイラルフープ筋としては、リブ又は節などの表面突起を有する棒鋼でコンクリートに埋め込んだときにコンクリートとの付着が大きく取れるようにした異形鉄筋を用いるのが望ましい。
【００３７】
なお、本発明は上記実施例に限定されるものではなく、本発明の趣旨に基づいて種々の変形が可能であり、これらを本発明の範囲から排除するものではない。
【産業上の利用可能性】
【００３８】
本発明のスパイラルフープ筋を用いた軸方向へのプレストレスト構造のコンクリート構造物の構築方法及びそのコンクリート構造物は、コンクリートのひび割れを防止することができ、ＲＣ橋脚や基礎杭などに適している。
【図面の簡単な説明】
【００３９】
【図１】本発明の実施例を示すスパイラルフープ筋を用いた軸方向へのプレストレスト構造のコンクリート構造物としてのＲＣ（Ｒｅｉｎｆｏｒｃｅｄ  Ｃｏｎｃｒｅｔｅ：強化コンクリート）柱の作製工程の模式図である。
【図２】本発明の実施例を示すスパイラルフープ筋を用いた軸方向へのプレストレスト構造としてのＲＣ柱の横断面図である。
【図３】本発明の実施例を示すスパイラルフープ筋を用いた軸方向へのプレストレスト構造のコンクリート構造物としてのＣＦＴ（コンクリート・フィール・チューブ）柱の作製工程の模式図である。
【図４】本発明の実施例を示すスパイラルフープ筋を用いた軸方向へのプレストレスト構造としてのＣＦＴ柱の横断面図である。
【符号の説明】
【００４０】
１，１１    軸方向鉄筋
２，１２    スパイラルフープ筋
３    型枠
４，１３    コンクリート
５    プレストレスト構造のＲＣ柱
１０    鋼管
１４    プレストレスト構造のＣＦＴ柱
【図１】
2005220554.tif 000003
【図２】
2005220554.tif 000004
【図３】
2005220554.tif 000005
【図４】
2005220554.tif 000006